(57)【特許請求の範囲】
【請求項１】
アクティブアンテナのチャネル異常検出と修復方法であって、
フィードバックチャネルのデータをリアルタイムに分析することで送信チャネルの動作状態を判断し、受信チャネルのデータをリアルタイムに分析することで受信チャネルの動作状態を判断し、動作状態が異常である場合、異常保護を行ってアラームを報告するステップと、
アラームレベル及びアラーム発生原因を判断し、送受信チャネルのデータが異常であって異常保護が行われる場合、現在のアンテナビーム成形パラメータを記憶し、アンテナビーム成形パラメータを０にし、アラームが削除された後、記憶された有効なアンテナビーム成形パラメータを有効値にするステップと、
送受信アナログチャネルの動作が異常であり異常保護が行われる場合、アンテナビーム成形パラメータを再び取得し、取得された有効なアンテナビーム成形パラメータを配置するステップとを含む
ことを特徴とするアクティブアンテナのチャネル異常検出と修復方法。
【請求項２】
配置されたアンテナビーム成形パラメータが変化するかどうかをリアルタイムに検出し、変化した場合、アンテナビーム成形パラメータの変化プロセスを判断し、非正常なパラメータ配置プロセスである場合、前記アンテナビーム成形パラメータが無効であると判断し、廃棄するステップをさらに含むことを特徴とする
請求項１に記載のアクティブアンテナのチャネル異常検出と修復方法。
【請求項３】
受信チャネルに対する動作状態異常の判断方法は、
各受信チャネルの上りデジタルデータを収集し、収集された各受信チャネルの上りデジタルデータの電力をリアルタイムに計算し、上りデジタルデータの電力に基づいてアナログチャネルのゲインをリアルタイムに配置し、
配置されたアナログゲイン値をリアルタイムに検出して記録し、前記アナログゲイン値に基づいて各受信チャネルの上りエアインタフェースのアナログ電力及び各受信チャネル間の上りエアインタフェースのアナログ電力差を計算し、
記録されたゲイン値が正常であるかどうかをリアルタイムに判断し、上りデジタルデータの電力値がアナログチャネルのゲイン値に伴って正確に変化するかどうかをリアルタイムに判断し、各受信チャネル間の上り受信エアインタフェースのアナログ電力差が正常であるかどうかをリアルタイムに判断し、
前記ゲイン値、電力値又は電力差が異常である場合、受信チャネルの動作状態が異常であることを示すことを特徴とする
請求項１又は２に記載のアクティブアンテナのチャネル異常検出と修復方法。
【請求項４】
送信チャネルに対する動作状態異常の判断方法は、
クロック、光ポート、下りベースバンドデータ電力、下りベースバンドデータゲイン、下りフォワード合成データ電力、下りフォワード合成データゲイン、フォワードアナログデータ電力、リバースチャネルデータ電力、リバースチャネルデータゲイン、リバースチャネルデータ位相、リバースチャネルデータ遅延、チャネル結合電力及び定在波比が異常であるかどうかを順次判断し、上記のいずれか一つの判断結果が異常である場合、送信チャネルの動作状態が異常であることを示すことを特徴とする
請求項１又は２に記載のアクティブアンテナのチャネル異常検出と修復方法。
【請求項５】
アクティブアンテナのチャネル異常検出と修復装置であって、
フィードバックチャネルのデータをリアルタイムに分析することで送信チャネルの動作状態を判断し、受信チャネルのデータをリアルタイムに分析することで受信チャネルの動作状態を判断し、動作状態が異常である場合、異常保護を行ってアラームを報告することに用いられ、また、
アラームレベル及び発生原因を判断し、送受信チャネルのデータが異常であると判断して保護を行う場合、記憶操作を実行するようにビーム成形パラメータ記憶モジュールに通知し、ビーム成形パラメータ配置モジュールにより配置されたアンテナビーム成形パラメータを０にし、アラームが削除された後、ビーム成形パラメータ記憶モジュールにより記憶された有効なアンテナビーム成形パラメータを有効値にし、送受信アナログチャネルの動作が異常であると判断して保護を行う場合、ビーム成形パラメータ取得モジュールに通知することに用いられるビーム成形パラメータ検出モジュールと、
ビーム成形パラメータ取得モジュールから送信された有効なアンテナビーム成形パラメータを配置することに用いられるビーム成形パラメータ配置モジュールと、
ビーム成形パラメータ検出モジュールからの通知を受信した後、アンテナビーム成形パラメータを再び取得し、取得されたアンテナビーム成形パラメータをビーム成形パラメータ配置モジュールに送信することに用いられるビーム成形パラメータ取得モジュールと、
ビーム成形パラメータ検出モジュールからの通知を受信した後、現在のアンテナビーム成形パラメータ値を記憶することに用いられるビーム成形パラメータ記憶モジュールと、を備える
ことを特徴とするアクティブアンテナのチャネル異常検出と修復装置。
【請求項６】
前記ビーム成形パラメータ配置モジュールは、さらに、自分で配置したアンテナビーム成形パラメータが変化するかどうかをリアルタイムに検出し、変化したと判断した場合、アンテナビーム成形パラメータの変化プロセスを判断し、非正常なパラメータ配置プロセスである場合、前記アンテナビーム成形パラメータが無効であると判断し、廃棄することに用いられることを特徴とする
請求項５に記載のアクティブアンテナのチャネル異常検出と修復装置。
【請求項７】
受信チャネルの動作状態を検出する場合、
前記ビーム成形パラメータ検出モジュールは、各受信チャネルの上りデジタルデータを収集し、収集された各受信チャネルの上りデジタルデータの電力をリアルタイムに計算し、上りデジタルデータの電力に基づいてアナログチャネルのゲインをリアルタイムに配置し、配置されたアナログゲイン値をリアルタイムに検出して記録し、前記アナログゲイン値及びデジタル電力値に基づいて各受信チャネルの上り受信エアインタフェースのアナログ電力及び各受信チャネル間の上りエアインタフェースのアナログ電力差を計算することに用いられ、
前記ビーム成形パラメータ検出モジュールは、さらに、記録されたゲイン値が正常であるかどうかをリアルタイムに判断し、上りデジタルデータの電力値がアナログチャネルのゲイン値に伴って正確に変化するかどうかをリアルタイムに判断し、各受信チャネル間の上り受信エアインタフェースのアナログ電力差が正常であるかどうかをリアルタイムに判断し、上記のいずれか一つの判断結果が異常である場合、異常保護を行ってアラームを報告し、配置されたアンテナビーム成形パラメータを０にし、アラームが削除された後、記憶された有効なアンテナビーム成形パラメータを有効値にすることに用いられることを特徴とする
請求項５又は６に記載のアクティブアンテナのチャネル異常検出と修復装置。
【請求項８】
前記ビーム成形パラメータ検出モジュールは、
各受信チャネルの上りデジタルデータをリアルタイムに収集することに用いられるデータ収集モジュールと、
上りデジタルデータの電力に基づいてアナログチャネルのゲインをリアルタイムに配置することに用いられるゲイン制御モジュールと、
ゲイン制御モジュールにより配置されたゲイン値をリアルタイムに検出して記録することに用いられるゲイン検出モジュールと、
データ収集モジュールにより収集された各受信チャネルの上りデジタルデータの電力をリアルタイムに計算し、前記ゲイン検出モジュールにより記録されたアナログゲイン値に基づいて、各受信チャネル上りエアインタフェースのアナログ電力及び各受信チャネル間の上りエアインタフェースのアナログ電力差をリアルタイムに計算することに用いられる電力計算モジュールと、
ゲイン検出モジュールにより記録されたゲイン値が正常であるかどうかをリアルタイムに判断し、電力計算モジュールにより計算された上りデジタルデータの電力値がゲイン検出モジュールにより記録されたアナログチャネルのゲイン値に伴って正確に変化するかどうかをリアルタイムに判断し、電力計算モジュールにより計算された各受信チャネル間の上りエアインタフェースのアナログ電力差が正常であるかどうかをリアルタイムに判断し、上記のいずれか一つの判断結果が異常である場合、保護モジュールに通知することに用いられる異常判断モジュールと、
異常判断モジュールからの通知を受信した後、異常保護を行ってアラームを報告し、配置されたアンテナビーム成形パラメータを０にし、アラームが削除された後、記憶された有効なアンテナビーム成形パラメータを有効値にすることに用いられる保護モジュールとを、含むことを特徴とする
請求項７に記載のアクティブアンテナのチャネル異常検出と修復装置。
【請求項９】
送信チャネルの動作状態を検出する場合、
前記ビーム成形パラメータ検出モジュールは、クロック、光ポート、下りベースバンドデータ電力、下りベースバンドデータゲイン、下りフォワード合成データ電力、下りフォワード合成データゲイン、フォワードアナログデータ電力、リバースチャネルデータ電力、リバースチャネルデータゲイン、リバースチャネルデータ位相、リバースチャネルデータ遅延、チャネル結合電力及び電圧定在波比が異常であるかどうかを順次判断し、上記のいずれか一つの判断結果が異常である場合、異常保護を行ってアラームを報告し、配置されたアンテナビーム成形パラメータを０にし、アラームが削除された後、記憶された有効なアンテナビーム成形パラメータを有効値にすることに用いられることを特徴とする
請求項５又は６に記載のアクティブアンテナのチャネル異常検出と修復装置。
【請求項１０】
前記ビーム成形パラメータ検出モジュールは、クロック検出モジュールと、光ポート検出モジュールと、下りベースバンドデータ電力検出モジュールと、下りベースバンドデータゲイン検出モジュールと、下りフォワード合成データ電力検出モジュールと、下りフォワード合成データゲイン検出モジュールと、フォワードアナログデータ電力検出モジュールと、リバースチャネルデータ電力検出モジュールと、リバースチャネルデータゲイン検出モジュールと、リバースチャネルデータ位相検出モジュールと、リバースチャネルデータ遅延検出モジュールと、チャネル結合検出モジュールと、定在波比検出モジュールと、異常検出モジュールとを含み、
前記各検出モジュールは、それぞれ順次、クロック、光ポート、下りベースバンドデータ電力、下りベースバンドデータゲイン、下りフォワード合成データ電力、下りフォワード合成データゲイン、フォワードアナログデータ電力、リバースチャネルデータ電力、リバースチャネルデータゲイン、リバースチャネルデータ位相、リバースチャネルデータ遅延、チャネル結合電力及び定在波比が異常であるかどうかを判断し、上記のいずれか一つの判断結果が異常である場合、異常検出モジュールに通知することに用いられ、
前記異常検出モジュールは、各検出モジュールからの通知を受信した後、異常保護を行ってアラームを報告し、配置されたアンテナビーム成形パラメータを０にし、アラームが削除された後、記憶された有効なアンテナビーム成形パラメータを有効値にすることに用いられることを特徴とする
請求項９に記載のアクティブアンテナのチャネル異常検出と修復装置。
【発明の詳細な説明】
【技術分野】
【０００１】
本発明は、モバイル通信技術分野に関し、特に、アクティブアンテナのチャネル異常検出と修復方法及びその装置に関する。
【背景技術】
【０００２】
モバイル通信技術の発展に伴い、基地局の構造形態は、第一世代、第二世代からずっと既存のアクティブアンテナに代表される新しい基地局の構造形態に進化している。第一世代の基地局構造において、ベーストランシーバ基地局（ＢＴＳ）は、ベースバンドと無線周波数送受信ユニットを統合させており、無線周波数ケーブルを介して無線周波数信号をアンテナに伝送する。このような構造において、無線周波数ケーブルの伝送挿入損が大きく、伝送電力損失が深刻である。前記第２世代の基地局構造、即ち、現在主流のベースバンド処理ユニット（ＢＢＵ）＋リモート無線ユニット（ＲＲＵ）構造において、その下り方向においてＢＢＵは、ベースバンド信号を光ファイバを介してＲＲＵに送信し、ＲＲＵによってデジタルＩＦ処理を完了し、無線周波数信号に変換して無線周波数ジャンパーを介してアンテナに送信し、上り方向において、アンテナは、無線周波数ジャンパーを介して無線周波数信号をＲＲＵに送信し、ＲＲＵによって処理してベースバンド信号に変換して光ファイバを介してＢＢＵに送信する。このような構造において、無線周波数送受信ユニットは、アンテナに近いため、ＲＲＵからアンテナまでの無線周波数ジャンパーによる信号挿入損失を減少させて、効率を向上させる。
【０００３】
モバイル通信システムにおいて、塔下の基地局と塔上のアンテナの間のケーブルが長すぎて引き起こされるフィーダー損耗をできるだけ減少するために、基地局を塔の上に移動する傾向が徐々に明らかになり、対応する製品形態も徐々に出現している。アクティブアンテナは、新しい基地局構造形態とし、ＢＢＵは、同様にベースバンド信号をアクティブアンテナユニットに送信し、ＢＢＵ＋ＲＲＵ構造形態とは異なり、アクティブアンテナは、送受信チャネルをアンテナ素子レベルまで配分し、粒度がより細かい。アクティブアンテナ素子の異なる配置により、実際の通信ネットワーキングのビームへの柔軟な制御と複数の入出力（ＭＩＭＯ）などの機能を実現し、より柔軟な資源動的配置及び共有を実現して、ネットワーク全体の性能の最適化及び低いネットワーク全体のネットワーキングコストの低減の目標を達成する。
【０００４】
アクティブアンテナシステムは、マルチ送受信チャネルシステムである。アクティブアンテナ製品において、マルチ送受信チャネルは、通常、対応してマルチアンテナアレイが設置され、各アンテナアレイが並行動作状態にあり、いずれも送受信チャネルと対応するデジタルベースバンド処理部分に対応する。その中、前記送受信チャネルは、多くのアナログ回路を含み、大量の高電圧、高電力、高電流の無線中間周波数コンポーネントから構成される。これらのコンポーネントの動作環境温度が高く、長時間運転すると劣化しやすいため、一部のコンポーネントが失効して、システムの信頼性に影響を与える。したがって、送受信チャネルの状態をリアルタイムに検出する必要があり、これによりシステムは正常に運行するようになる
現在、専用の校正チャネルで送受信チャネルの状態をリアルタイムに検出することができる。方法を実現するためのプロセスは、マルチ送受信チャネルのそれぞれのビーム成形係数をリアルタイムに検出して、各送受信チャネルが失効するか否かを検出し、マルチ送受信チャネルのいずれか一つが失効したことを検出した場合、現在のすべての送受信チャネルに対応する現在のグループのビーム成形係数、及び現在失効した送受信チャネルに対応する失効モード情報を取得し、予め設定された最適化アルゴリズムを用い、現在の一つのグループのビーム成形係数に対して最適化処理を行って、現在の一つのグループのビーム成形係数に対する、即ち失効モード情報により適合する第１グループのビーム成形係数を取得し、第１グループのビーム成形係数に基づいて、対応して各送受信チャネルのビーム成形係数を更新する。
【０００５】
図１は上述した従来の送受信チャネル状態検出方法に対応する装置の構成図である。図１に示すように、専用の校正チャネルを設置してデータを収集する必要があり、即ち、余分なアナログ及びデジタル回路を設置してデータを収集する必要があるため、余分なコストの消費及び電力消費を引き起こす。従来の検出方法は、実施中に校正チャネルのデジタル信号に対してリアルタイムにデータを収集して計算する必要があるため、スイッチ制御アレイ設計の複雑さを増加し、ベースバンドデジタルデバイスの選定にある程度の圧力を与えて、デジタルデバイスのコストを増大させる。
【発明の概要】
【発明が解決しようとする課題】
【０００６】
これに鑑みて、本発明の主な目的は、余分な校正チャネルを必要とせず、アクティブアンテナのマルチ送受信チャネルの状態を検出することができ、システムの設計コストを低減させるアクティブアンテナのチャネル異常検出と修復方法及びその装置を提供することにある。
【課題を解決するための手段】
【０００７】
上記の目的を達成するために、本発明の技術的な解決策は、以下のように実現される。
【０００８】
本発明に係るアクティブアンテナのチャネル異常検出と修復方法は、
フィードバック結合チャネルのデータ又は受信チャネルのデータをリアルタイムに分析することで送信チャネル又は受信チャネルの動作状態を判断し、動作状態が異常である場合、異常保護を行ってアラームを報告するステップと、
アラームレベル及びアラーム発生原因を判断し、送受信チャネルのデータが異常であって異常保護が行われる場合、現在のアンテナビーム成形パラメータを記憶し、アンテナビーム成形パラメータを０にし、アラームが削除された後、記憶された有効なアンテナビームパラメータを有効値にし、送受信アナログチャネルの動作が異常であって異常保護が行われる場合、アンテナビーム成形パラメータを再び取得し、取得された有効なアンテナビーム成形パラメータを配置するステップとを含む。
【０００９】
当該方法は、さらに、
配置されたアンテナビーム成形パラメータが変化するかどうかをリアルタイムに検出し、変化した場合、アンテナビーム成形パラメータの変化プロセスを判断し、非正常なパラメータ配置プロセスである場合、前記アンテナビーム成形パラメータが無効であると判断し、廃棄するステップを含む。
【００１０】
ここで、受信チャネルに対する動作状態異常の判断方法は、
各受信チャネルの上りデジタルデータをリアルタイムに収集し、収集された各受信チャネルの上りデジタルデータの電力をリアルタイムに計算し、上りデジタルデータの電力に基づいてアナログチャネルのゲインをリアルタイムに配置し、
配置されたアナログゲイン値をリアルタイムに検出して記録し、前記アナログゲイン値に基づいて各受信チャネルの上りエアインタフェース（Ｏｖｅｒ−Ｔｈｅ−Ａｉｒ（ＯＴＡ））のアナログ電力及び各受信チャネル間の上りエアインタフェースのアナログ電力差を計算し、
記録したゲイン値が正常であるかどうかをリアルタイムに判断し、上りデジタルデータの電力値がアナログチャネルのゲイン値に伴って正確に変化するかどうかをリアルタイムに判断し、各受信チャネル間の上り受信エアインタフェースのアナログ電力差が正常であるかどうかをリアルタイムに判断し、
前記ゲイン値、電力値又は電力差が異常である場合、受信チャネルの動作状態が異常であることを示す。
【００１１】
ここで、送信チャネルに対する動作状態異常の判断方法は、
クロック、光ポート、下りベースバンドデータ電力、下りベースバンドデータゲイン、下りフォワード合成データ電力、下りフォワード合成データゲイン、フォワードアナログデータ電力、リバースチャネルデータ電力、リバースチャネルデータゲイン、リバースチャネルデータ位相、リバースチャネルデータ遅延、チャネル結合電力及び定在波比が異常であるかどうかを順次検出し、いずれか一つの判断結果が異常である場合、送信チャネルの動作状態が異常であることを示す。
【００１２】
また、本発明に係るアクティブアンテナのチャネル異常検出と修復装置は、
フィードバック結合チャネルのデータ又は受信チャネルのデータをリアルタイムに分析することで送信チャネル又は受信チャネルの動作状態を判断し、動作状態が異常であると判断した場合、異常保護を行ってアラームを報告することに用いられるビーム成形パラメータ検出モジュールと、
アラームレベル及び発生原因を判断し、送受信チャネルのデータが異常であると判断して保護を行う場合、記憶操作を実行するようにビーム成形パラメータ記憶モジュールに知らせ、ビーム成形パラメータ配置モジュールにより配置されたアンテナビーム成形パラメータを０にし、アラームが削除された後、ビーム成形パラメータ記憶モジュールにより記憶された有効なアンテナビームパラメータを有効値にし、送受信アナログチャネルの動作が異常であると判断して保護を行う場合、ビーム成形パラメータ取得モジュールに通知することに用いられるビーム成形パラメータ検出モジュールと、
ビーム成形パラメータ取得モジュールから送信された有効なアンテナビーム成形パラメータを配置することに用いられるビーム成形パラメータ配置モジュールと、
ビーム成形パラメータ検出モジュールからの通知を受信した後、アンテナビーム成形パラメータを再び取得し、取得されたアンテナビーム成形パラメータをビーム成形パラメータ配置モジュールに送信することに用いられるビーム成形パラメータ取得モジュールと、
ビーム成形パラメータ検出モジュールからの通知を受信した後、現在のアンテナビーム成形パラメータ値を記憶することに用いられるビーム成形パラメータ記憶モジュールと、を含む。
【００１３】
ここで、前記ビーム成形パラメータ配置モジュールは、さらに、自分で配置したアンテナビーム成形パラメータが変化するかどうかをリアルタイムに検出し、変化すると判断した場合、アンテナビームパラメータの変化プロセスを判断し、非正常なパラメータ配置プロセスである場合、前記アンテナビーム成形パラメータが無効であると判断し、廃棄する。
【００１４】
受信チャネルの動作状態を検出する場合、
前記ビーム成形パラメータ検出モジュールは、各受信チャネルの上りデジタルデータをリアルタイムに収集し、収集された各受信チャネルの上りデジタルデータの電力をリアルタイムに計算し、上りデジタルデータの電力に基づいてアナログチャネルのゲインをリアルタイムに配置し、配置されたアナログゲイン値をリアルタイムに検出して記録し、前記アナログゲイン値及びデジタル電力値に基づいて、各受信チャネルの上りエアインタフェースのアナログ電力及び各受信チャネル間の上りエアインタフェースのアナログ電力差を計算することに用いられる。
【００１５】
前記ビーム成形パラメータ検出モジュールは、さらに、記録したゲイン値が正常であるかどうかをリアルタイムに判断し、上りデジタルデータの電力値がアナログチャネルのゲイン値に伴って正確に変化するかどうかをリアルタイムに判断し、各受信チャネル間の上りエアインタフェースのアナログ電力差が正常であるかどうかをリアルタイムに判断し、上記のいずれか一つの判断結果が異常である場合、異常保護を行ってアラームを報告し、配置されたアンテナビーム成形パラメータを０にし、アラームが削除された後、記憶された有効なアンテナビームパラメータを有効値にすることに用いられる。
【００１６】
前記ビーム成形パラメータ検出モジュールは、
各受信チャネルの上りデジタルデータをリアルタイムに収集することに用いられるデータ収集モジュールと、
上りデジタルデータの電力に基づいてアナログチャネルのゲインをリアルタイムに配置することに用いられるゲイン制御モジュールと、
ゲイン制御モジュールにより配置されたゲイン値をリアルタイムに検出して記録することに用いられるゲイン検出モジュールと、
データ収集モジュールにより収集された各受信チャネルの上りデジタルデータの電力をリアルタイムに計算し、前記ゲイン検出モジュールにより記録されたアナログゲイン値に基づいて、各受信チャネルの上りエアインタフェースのアナログ電力及び各受信チャネル間の上りエアインタフェースのアナログ電力差をリアルタイムに計算することに用いられる電力計算モジュールと、
ゲイン検出モジュールにより記録されたゲイン値が正常であるかどうかをリアルタイムに判断し、電力計算モジュールにより計算された上りデジタルデータの電力値がゲイン検出モジュールにより記録されたアナログチャネルのゲイン値に伴って正確に変化するかどうかをリアルタイムに判断し、電力計算モジュールにより計算された各受信チャネル間の上りエアインタフェースのアナログ電力差が正常であるかどうかをリアルタイムに判断し、上記のいずれか一つの判断結果が異常である場合、保護モジュールに通知することに用いられる異常判断モジュールと、
異常判断モジュールからの通知を受信した後、異常保護を行ってアラームを報告し、配置されたアンテナビーム成形パラメータを０にし、アラームが削除された後、記憶された有効なアンテナビーム成形パラメータを有効値にすることに用いられる保護モジュールとを含む。
【００１７】
送信チャネルの動作状態を検出する場合、
前記ビーム成形パラメータ検出モジュールは、クロック、光ポート、下りベースバンドデータ電力、下りベースバンドデータゲイン、下りフォワード合成データ電力、下りフォワード合成データゲイン、フォワードアナログデータ電力、リバースチャネルデータ電力、リバースチャネルデータゲイン、リバースチャネルデータ位相、リバースチャネルデータ遅延、チャネル結合電力及び定在波比が異常であるかどうかを順次判断し、上記のいずれか一つの判断結果が異常である場合、異常保護を行ってアラームを報告し、配置されたアンテナビーム成形パラメータを０にし、アラームが削除された後、記憶された有効なアンテナビーム成形パラメータを有効値にすることに用いられる。
【００１８】
ここで、前記ビーム成形パラメータ検出モジュールは、クロック検出モジュールと、光ポート検出モジュールと、下りベースバンドデータ電力検出モジュールと、下りベースバンドデータゲイン検出モジュールと、下りフォワード合成データ電力検出モジュールと、下りフォワード合成データゲイン検出モジュールと、フォワードアナログデータ電力検出モジュールと、リバースチャネルデータ電力検出モジュールと、リバースチャネルデータゲイン検出モジュールと、リバースチャネルデータ位相検出モジュールと、リバースチャネルデータ遅延検出モジュールと、チャネル結合検出モジュールと、定在波比検出モジュールと、異常検出モジュールとを含む。
【００１９】
前記各検出モジュールは、それぞれ順次、クロック、光ポート、下りベースバンドデータ電力、下りベースバンドデータゲイン、下りフォワード合成データ電力、下りフォワード合成データゲイン、フォワードアナログデータ電力、リバースチャネルデータ電力、リバースチャネルデータゲイン、リバースチャネルデータ位相、リバースチャネルデータ遅延、チャネル結合電力及び定在波比が異常であるかどうかを判断し、上記のいずれか一つの判断結果が異常である場合、異常検出モジュールに通知することに用いられる。
【００２０】
前記異常検出モジュールは、各検出モジュールからの通知を受信した後、異常保護を行ってアラームを報告し、配置されたアンテナビーム成形パラメータを０にし、アラームが削除された後、記憶された有効なアンテナビーム成形パラメータを有効値にすることに用いられる。
【００２１】
本発明に係るアクティブアンテナのチャネル異常検出と修復方法及びその装置では、フィードバック結合チャネルのデータ又は受信チャネルのデータをリアルタイムに分析することで送信チャネル又は受信チャネルの動作状態を判断し、動作状態が異常である場合、異常保護を行ってアラームを報告し、アラームレベル及びアラーム発生原因を判断し、送受信チャネルのデータが異常であって異常保護が行われる場合、現在のアンテナビーム成形パラメータを記憶し、アンテナビーム成形パラメータを０にし、アラームが削除された後、記憶された有効なアンテナビームパラメータを有効値にし、送受信アナログチャネルの動作が異常であって異常保護が行われる場合、アンテナビーム成形パラメータを再び取得し、取得された有効なアンテナビーム成形パラメータを配置する。本発明は、既存の校正チャネルを設置する必要がなく、データサービス伝送チャネルのデータを検出することだけで、送受信チャネルに対する状態検出を完了することができ、従来技術と比べて、本発明の設計回路は、構成が簡単であり、設計コストが低く、消耗電力が相対的に低減される。
【図面の簡単な説明】
【００２２】
【図１】従来の送受信チャネル状態検出方法に対応する装置の構成図である。
【図２】本発明に係る送受信チャネル状態検出方法に対応する装置の構成図である。
【図３】本発明に係るアクティブアンテナのチャネル異常検出と修復方法の実現プロセスを示す図である。
【図４】本発明に係るアクティブアンテナのチャネル異常検出と修復装置の構成を示す図である。
【図５】受信チャネル異常検出の場合のビーム成形パラメータ検出モジュールの細分化構成を示す図である。
【図６】送信チャネル異常検出の場合のビーム成形パラメータ検出モジュールの細分化構成を示す図である。
【図７】本発明に係る送信チャネル異常検出に対応する装置の構成を示す図である。
【図８】本発明が適用される第一の無線アクセス網の基地局構造を示す図である。
【図９】本発明が適用される第二の無線アクセス網の基地局構造を示す図である。
【図１０】本発明が適用される第三の無線アクセス網の基地局構造を示す図である。
【発明を実施するための形態】
【００２３】
本発明は、余分な専用の校正チャネルを設置する必要がなく、即ち、図１に示す校正チャネルを設置する必要がなく、図２の構成のみを利用し、データサービス伝送チャネルのデータを検出することで、送受信チャネルに対する状態検出を完了することができる。
【００２４】
本発明の基本的な考えは、フィードバック結合チャネルのデータ又は受信チャネルのデータをリアルタイムに分析することで送信チャネル又は受信チャネルの動作状態を判断し、動作状態が異常である場合、異常保護を行ってアラームを報告し、アラームレベル及び発生原因を判断し、送受信チャネルのデータが異常であって異常保護が行われる場合、現在のアンテナビーム成形パラメータを記憶し、アンテナビーム成形パラメータを０にし、アラームが削除された後、記憶された有効なアンテナビーム成形パラメータを有効値にし、送受信アナログチャネルの動作が異常であって異常保護が行われる場合、アンテナビーム成形パラメータを再び取得し、取得された有効なアンテナビーム成形パラメータを配置するものである。
【００２５】
さらに、本発明は、配置されたアンテナビーム成形パラメータが変化するかどうかをリアルタイムに検出し、変化した場合、アンテナビーム成形パラメータの変化プロセスを判断し、非正常なパラメータ配置プロセスである場合、前記アンテナビーム成形パラメータが無効であると判断し、廃棄する。
【００２６】
以下、図面及び具体的な実施形態を参照しながら、本発明をさらに詳細に説明する。
【００２７】
図３は本発明に係るアクティブアンテナのチャネル異常検出と修復方法の実現プロセスを示す図である。図３に示すように、当該方法は、以下のステップを含む。
【００２８】
ステップ３０１において、フィードバック結合チャネルのデータ又は受信チャネルのデータをリアルタイムに分析することで送信チャネル又は受信チャネルの動作状態を判断し、動作状態が異常である場合、ステップ３０２を実行し、そうでなければ、アンテナビーム成形パラメータが変化しない。
【００２９】
ここで、送受信チャネルの動作状態に対する判断プロセスを後で細分化して述べる。
【００３０】
ステップ３０２において、異常チャネルを保護してアラームを報告する。
【００３１】
ここで、前記異常保護及びアラーム報告のプロセスは、従来技術であるので、ここで詳しく説明しない。
【００３２】
ステップ３０３において、アラームレベル及びアラーム発生原因を判断し、送受信チャネルのデータが異常であって異常保護が行われる場合、現在のアンテナビーム成形パラメータを記憶し、アンテナビーム成形パラメータを０にし、アラームが削除された後、記憶された有効なアンテナビームパラメータを有効値にし、送受信アナログチャネルの動作が異常であって異常保護が行われる場合、アンテナビーム成形パラメータを再び取得し、取得された有効なアンテナビーム成形パラメータを配置する。
【００３３】
具体的には、送受信チャネルのデータが異常であって異常保護が行われる場合、現在のアンテナビーム成形パラメータ値を保存し、これは現在のアンテナビーム成形パラメータのコピーに相当し、アンテナビーム成形パラメータを０にし、アラームが削除された後、この前に保存された有効なアンテナビーム成形パラメータを有効値にし、即ち、この前に保存されたアンテナビーム成形パラメータのコピーを有効値にし、つまり、この前に保存されたアンテナビーム成形パラメータがこの場合に使用可能である。
【００３４】
送受信チャネルの動作が異常である場合、現在の配置されたアンテナビームと傾斜角情報テーブルを検出することで現在のモードにおけるアンテナビーム成形パラメータを取得し、取得された有効なアンテナビーム成形パラメータを配置する。
【００３５】
ここで、前記アラームがどのようなものであるか、及びいつ削除されるかは、本発明の保護範囲内にない。
【００３６】
さらに、本発明は、配置されたアンテナビーム成形パラメータが変化するか否かをリアルタイムに検出し、変化した場合、アンテナビーム成形パラメータの変化プロセスを判断し、非正常なパラメータ配置プロセスである場合、前記アンテナビーム成形パラメータが無効であると判断し、廃棄し、変化しない場合、配置操作を行うステップを含む。
【００３７】
以下、それぞれステップ３０１における送受信チャネルの動作状態の検出プロセスを詳細に説明する。
【００３８】
本発明に係る受信チャネルに対する異常検出プロセスは、次の通りである。
【００３９】
ステップ１において、各受信チャネルの上りデジタルデータを収集し、収集された各受信チャネル上りデジタルデータの電力をリアルタイムに計算し、上りデジタルデータの電力に基づいてアナログチャネルのゲインをリアルタイムに配置する。
【００４０】
本発明において、前記アナログチャネルは、ステップ３０３における前記送受信アナログチャネルである。
【００４１】
ステップ２において、配置されたアナログゲイン値をリアルタイムに検出して記録し、前記アナログゲイン値に基づいて各受信チャネルの上りエアインタフェースのアナログ電力及び各受信チャネル間の上りエアインタフェースのアナログ電力差を計算する。
【００４２】
ここで、電力を計算する場合、従来の計算方法を使用できる。
【００４３】
ステップ３において、記録されたゲイン値が正常であるかどうかをリアルタイムに判断し、上りデジタルデータの電力値がアナログチャネルのゲイン値に伴って正確に変化するかどうかをリアルタイムに判断し、各受信チャネル間の上りエアインタフェースのアナログ電力差が正常であるかどうかをリアルタイムに判断する。
【００４４】
ステップ４において、前記ゲイン値、電力値又は電力差が異常である場合、受信チャネルの動作状態が異常であることを示す。
【００４５】
本発明に係る送信チャネル異常検出プロセスは、次の通りである。
【００４６】
ステップ１において、クロックが異常であるかどうかを判断する。
【００４７】
具体的には、各シングルボードクロックの周波数精度及び位相精度をリアルタイムに検出することでシングルボードクロックが正常であるかどうかを判断し、周波数精度又は位相精度を予め設定された値と比較し、有効な範囲にあるかどうかを判断し、失敗回数が閾値を超えると、クロックが異常であると判断する。
【００４８】
前記予め設定された値と閾値とは、応用シーンによってリアルタイムに変更する。
【００４９】
ステップ２において、光ポートが異常であるかどうかを判断する。
【００５０】
具体的には、光モジュールの位置信号、光ポート８Ｂ／１０Ｂコーディング検査エラー指示信号及び光ポートスーパーフレーム検出信号をリアルタイムにモニタリングすることで光ポートの動作が正常であるかどうかを判断し、前記三つの信号のいずれか一つが異常である場合、光ポートが異常であると判断する。
【００５１】
ステップ３において、下りベースバンドデータ電力が異常であるかどうかを判断する。
【００５２】
具体的には、下りベースバンドデータ電力とセル配置電力とをリアルタイムに比較し、下りベースバンドデータ電力が有効の範囲にあるかどうかを複数回で判断し、失敗回数が閾値を超えると、ＢＢＵからアクティブアンテナまでのデータが異常データであることを示し、即ち、下りベースバンドデータ電力が異常であると判断する。
【００５３】
ここで、下りベースバンドデータ電力が異常であると判断した後、ベースバンドデータ電力アラームを報告し、現在のアンテナビーム成形配置パラメータを記憶し、配置されたアンテナビーム成形パラメータを０にし、下り電力保護をオンにし、ベースバンドデータを再び配置し、アラームが削除された後、記憶された有効なアンテナビーム成形パラメータ値を有効値にする。
【００５４】
ここで、前記閾値は、応用シーンによってリアルタイムに変更することができる。
【００５５】
ステップ４において、下りベースバンドデータゲインが異常であるかどうかを判断する。
【００５６】
具体的には、配置されたベースバンドゲインと予め設定された値とを比較し、ゲインが有効な範囲にあるかどうかを判断し、失敗回数が閾値を超えると、下りベースバンドデータゲインが失効したことを示す。
【００５７】
ここで、下りベースバンドデータゲインが異常であると判断した後、報告してアラームするとともに、現在のアンテナビーム成形配置パラメータを記憶し、下り電力保護をオンにし、配置されたアンテナビーム成形パラメータを０にし、アラームが削除された後、記憶された有効なアンテナビーム配置パラメータを有効値にする。
【００５８】
前記予め設定された値と閾値とは、応用シーンによってリアルタイムに変更することができる。
【００５９】
ステップ５において、下りフォワード合成データ電力が異常であるかどうかを判断する。
【００６０】
具体的には、下りフォワードマルチ搬送波電力と配置されたマルチ搬送波電力値とをリアルタイムで比較し、電力変動が有効な範囲にあるかどうかを判断し、失敗回数が閾値を超えると、下りマルチ搬送波電力が異常であること、即ち、下りフォワード合成データ電力が異常であることを示す。
【００６１】
ここで、前記閾値は、応用シーンによってリアルタイムに変更することができる。
【００６２】
ステップ６において、下りフォワード合成データゲインが異常であるかどうかを判断する。
【００６３】
具体的には、下りフォワード合成データゲインと配置されたマルチ搬送波ゲイン値とを比較し、ゲイン変動が有効な範囲にあるかどうかを判断し、失敗回数が閾値を超えると、下りマルチ搬送波ゲインが異常であること、即ち、下りフォードマルチデータゲインが異常であることを示す。
【００６４】
ここで、前記閾値は、応用のシーンによってリアルタイムに変更することができる。
【００６５】
ステップ７において、フォワードアナログデータ電力が異常であるかどうかを判断する。
【００６６】
具体的には、フォワード結合ネットワークによりフォワードデータをフィードバックチャネルを介してデジタル側に結合し、その後収集されたデータの電力を計算し、予め設定されたフォワード電力値と比較し、有効な範囲にあるかどうかを判断し、失敗回数が閾値を超えると、フォワードアナログデータ電力が異常であることを示す。
【００６７】
ここで、前記閾値は、応用シーンによってリアルタイムに変更することができ、前記アルゴリズムは、既存のアルゴリズムを用いることができる。
【００６８】
ステップ８において、リバースチャネルデータ電力が異常であるかどうかを判断する。
【００６９】
具体的には、リバース結合ネットワークによりデータをフィードバックチャネルを介してデジタル側に結合し、その後収集されたデータの電力を計算し、予め設定されたリバース電力値と比較し、有効な範囲にあるかどうかを判断し、失敗回数が閾値を超えると、リバースチャネルデータ電力が異常であることを示す。
【００７０】
ここで、前記閾値は、応用シーンによってリアルタイムに変更することができ、前記アルゴリズムは、既存のアルゴリズムを用いることができる。
【００７１】
ステップ９において、リバースチャネルデータゲインが異常であるかどうかを判断する。
【００７２】
具体的には、リバース結合ネットワークによりフォワードデータをフィードバックチャネルを介してデジタル側に結合し、その後、関連アルゴリズムにより収集されたデータの電力とフォワードデータ電力とのゲイン差を計算し、予め設定されたゲイン差値と比較し、有効な範囲にあるかどうかを判断し、失敗回数が閾値を超えると、リバースチャネルデータゲインが異常であることを示す。
【００７３】
ここで、前記閾値は、応用シーンによってリアルタイムに変更することができ、前記アルゴリズムは、既存のアルゴリズムを用いることができる。
【００７４】
ステップ１０において、リバースチャネルデータ位相が異常であるかどうかを判断する。
【００７５】
具体的には、リバース結合ネットワークによりフォワードデータをフィードバックチャネルを介してデジタル側に結合し、その後、関連アルゴリズムにより収集されたリバースデータとフォワードデータとの位相差を計算し、予め設定された位相差値と比較し、有効な範囲にあるかどうかを判断し、失敗回数が閾値を超えると、リバースチャネルデータ位相が異常であることを示す。
【００７６】
ここで、前記閾値は、応用シーンによってリアルタイムに変更することができ、前記アルゴリズムは、既存のアルゴリズムを用いることができる。
【００７７】
ステップ１１において、リバースチャネルデータ遅延が異常であるかどうかを判断する。
【００７８】
具体的には、リバース結合ネットワークによりフォワードデータをフィードバックチャネルを介してデジタル側に結合し、その後、関連アルゴリズムにより収集されたリバースデータとフォワードデータとの遅延差を計算し、予め設定された遅延差と比較し、有効な範囲にあるかどうかを判断し、失敗回数が閾値を超えると、リバースチャネルデータ遅延が異常であることを示す。
【００７９】
ここで、前記閾値は、応用シーンによってリアルタイムに変更することができ、前記アルゴリズムは、既存のアルゴリズムを用いることができる。
【００８０】
ステップ１２において、チャネル結合電力が異常であるかどうかを判断する。
【００８１】
具体的には、送信データ電力と結合データ電力を比較して、両者の電力差を計算し、設定された閾値と比較し、閾値以上の回数が設定された範囲を超えると、チャネル結合電力が異常であることを示す。
【００８２】
ここで、チャネル結合電力が異常であると判断した後、チャネル送信データ電力を保護し、アラームを報告し、配置されたアンテナビーム成形パラメータを０にし、アラームが削除された後、記憶された有効なアンテナビーム成形パラメータを有効値にする。
【００８３】
ここで、前記閾値は、応用シーンによってリアルタイムに変更することができ、前記アルゴリズムは、既存のアルゴリズムを用いることができる。
【００８４】
ステップ１３において、定在波比が異常であるかどうかを判断する。
【００８５】
具体的には、エンジニアリングアンテナフィーダーの接続品質を検出し、インタフェースが故障した場合、アラーム報告及びアンプ保護に対応する処置を行い、配置されたアンテナビーム成形パラメータを０にし、アラームが削除された後、記憶された有効なアンテナビーム成形パラメータを有効値にする。
【００８６】
上記のいずれか一つの判断プロセスの結果が異常である場合、送信チャネルの動作状態が異常であると判断すると説明すべきである。
【００８７】
図４は本発明に係るアクティブアンテナのチャネル異常検出と修復装置の構成を示す図である。図４に示すように、当該装置は、ビーム成形パラメータ検出モジュールと、ビーム成形パラメータ配置モジュールと、ビーム成形パラメータ取得モジュールと、ビーム成形パラメータ記憶モジュールとを備える。
【００８８】
前記ビーム成形パラメータ検出モジュールは、フィードバック結合チャネルのデータ又は受信チャネルのデータをリアルタイムに分析することで送信チャネル又は受信チャネルの動作状態を判断し、動作状態が異常である場合、異常保護を行ってアラームを報告し、
アラームレベル及び発生原因を判断し、送受信チャネルのデータが異常であると判断して保護を行う場合、記憶操作を実行するようにビーム成形パラメータ記憶モジュールに通知し、ビーム成形パラメータ配置モジュールにより配置されたアンテナビーム成形パラメータを０にし、アラームが削除された後、ビーム成形パラメータ記憶モジュールにより記憶された有効なアンテナビームパラメータを有効値にし、送受信アナログチャネルの動作が異常であると判断して保護を行う場合、ビーム成形パラメータ取得モジュールに通知することに用いられる。
【００８９】
前記ビーム成形パラメータ配置モジュールは、ビーム成形パラメータ取得モジュールから送信された有効なアンテナビーム成形パラメータを配置することに用いられる。
【００９０】
前記ビーム成形パラメータ取得モジュールは、ビーム成形パラメータ検出モジュールからの通知を受信した後、アンテナビーム成形パラメータを再び取得し、取得されたアンテナビーム成形パラメータをビーム成形パラメータ配置モジュールに送信することに用いられる。
【００９１】
前記ビーム成形パラメータ記憶モジュールは、ビーム成形パラメータ検出モジュールからの通知を受信した後、現在のアンテナビーム成形パラメータ値を記憶する。
【００９２】
さらに、ビーム成形パラメータ配置モジュールは、さらに、自分で配置したアンテナビーム成形パラメータが変化するかどうかをリアルタイムに検出し、変化したと確認する場合、アンテナビームパラメータの変化プロセスを判断し、非正常なパラメータ配置プロセスである場合、前記アンテナビーム成形パラメータが無効であると判断し、廃棄することに用いられる。
【００９３】
以下、それぞれ送受信チャネルに対して、前記ビーム成形パラメータ検出モジュールの構成を細分化して説明する。
【００９４】
本発明において、受信チャネル動作状態を検出する場合、前記ビーム成形パラメータ検出モジュールは、各受信チャネルの上りデジタルデータをリアルタイムに収集し、収集された各受信チャネル上りデジタルデータの電力をリアルタイムに計算し、上りデジタルデータの電力に基づいてアナログチャネルのゲインをリアルタイムに配置し、配置されたアナログゲイン値をリアルタイムに検出して記録し、前記アナログゲイン値およびデジタル電力値に基づいて、各受信チャネルの上りエアインタフェースのアナログ電力及び各受信チャネル間の上りエアインタフェースのアナログ電力差を計算し、
記録されたゲイン値が正常であるかどうかをリアルタイムに判断し、上りデジタルデータの電力値がアナログチャネルのゲイン値に伴って正確に変化するかどうかをリアルタイムに判断し、各受信チャネル間の上りエアインタフェースのアナログ電力差が正常であるかどうかをリアルタイムに判断し、上記いずれか一つの判断結果が異常である場合、異常保護を行ってアラームを報告し、配置されたアンテナビーム成形パラメータを０にし、アラームが削除された後、記憶された有効なアンテナビーム成形パラメータを有効値にすることに用いられる。
【００９５】
図５は２つの受信チャネルを例としたビーム成形パラメータ検出モジュールの内部細分化構成を示す図である。図５に示すように、それぞれ各受信チャネルに対応して設置されたデータ収集モジュールと、ゲイン制御モジュールと、ゲイン検出モジュールと、電力計算モジュールと、異常判断モジュールと、保護モジュールとを含む。
【００９６】
前記データ収集モジュールは、各受信チャネルの上りデジタルデータをリアルタイムに収集することに用いられる。
【００９７】
前記ゲイン制御モジュールは、上りデジタルデータの電力に基づいてアナログチャネルのゲインをリアルタイムに配置することに用いられる。
【００９８】
前記ゲイン検出モジュールは、ゲイン制御モジュールにより配置されたゲイン値をリアルタイムに検出して記録することに用いられる。
【００９９】
前記電力計算モジュールは、データ収集モジュールにより収集された各受信チャネルの上りデジタルデータの電力をリアルタイムに計算し、前記ゲイン検出モジュールにより記録されたアナログゲイン値に基づいて、各受信チャネルの上りエアインタフェースのアナログ電力及び各受信チャネル間の上りエアインタフェースのアナログ電力差を計算することに用いられる。
【０１００】
前記異常判断モジュールは、ゲイン検出モジュールにより記録されたゲイン値が正常であるかどうかをリアルタイムに判断し、電力計算モジュールにより計算された上りデジタルデータの電力値がゲイン検出モジュールにより記録されたアナログチャネルのゲイン値に伴って正確に変化するかどうかをリアルタイムに判断し、電力計算モジュールにより計算された、各受信チャネル間の上りエアインタフェースのアナログ電力差が正常であるかどうかをリアルタイムに判断し、上記のいずれか一つの判断結果が異常である場合、保護モジュールに通知することに用いられる。
【０１０１】
前記保護モジュールは、異常判断モジュールからの通知を受信した後、異常保護を行ってアラームを報告し、配置されたアンテナビーム成形パラメータを０にし、アラームが削除された後、記憶された有効なアンテナビーム成形パラメータを有効値にすることに用いられる。
【０１０２】
本発明は、送信チャネルの動作状態を検出する。
【０１０３】
前記ビーム成形パラメータ検出モジュールは、クロック、光ポート、下りベースバンドデータ電力、下りベースバンドデータゲイン、下りフォワード合成データ電力、下りフォワード合成データゲイン、フォワードアナログデータ電力、リバースチャネルデータ電力、リバースチャネルデータゲイン、リバースチャネルデータ位相、リバースチャネルデータ遅延、チャネル結合電力及び電圧定在波比が異常であるかどうかを順次判断し、上記のいずれか一つの判断結果が異常である場合、異常保護を行ってアラームを報告し、配置されたアンテナビーム成形パラメータを０にし、アラームが削除された後、記憶された有効なアンテナビーム成形パラメータを有効値にすることに用いられる。
【０１０４】
図６は、送信チャネル異常検出の場合のビーム成形検出モジュールの細分化構成を示す図である。図６に示すように、クロック検出モジュールと、光ポート検出モジュールと、下りベースバンドデータ電力検出モジュールと、下りベースバンドデータゲイン検出モジュールと、下りフォワード合成データ電力検出モジュールと、下りフォワード合成データゲイン検出モジュールと、フォワードアナログデータ電力検出モジュールと、リバースチャネルデータ電力検出モジュールと、リバースチャネルデータゲイン検出モジュールと、リバースチャネルデータ位相検出モジュールと、リバースチャネルデータ遅延検出モジュールと、チャネル結合検出モジュールと、定在波比検出モジュールと、異常検出モジュールとを含む。
【０１０５】
前記各検出モジュールは、それぞれ順次、クロック、光ポート、下りベースバンドデータ電力、下りベースバンドデータゲイン、下りフォワード合成データ電力、下りフォワード合成データゲイン、フォワードアナログデータ電力、リバースチャネルデータ電力、リバースチャネルデータゲイン、リバースチャネルデータ位相、リバースチャネルデータ遅延、チャネル結合電力及び定在波比が異常であるかどうかを判断し、上記のいずれか一つの判断結果が異常である場合、異常検出モジュールに通知することに用いられる。
【０１０６】
前記異常検出モジュールは、各検出モジュールからの通知を受信した後、異常保護を行ってアラームを報告し、配置されたアンテナビーム成形パラメータを０にし、アラームが削除された後、記憶された有効なアンテナビーム成形パラメータを有効値にすることに用いられる。
【０１０７】
図７は本発明に係る送信チャネル異常検出に対応する装置の構成を示す図である。図７に示すように、前記異常検出モジュールは、図６に示す異常検出モジュールである。図７から分かるように、アルゴリズムデータソースは、フィードバックチャネルから結合して出力されるものであり、ＡＤＣ変換によりデジタル処理部分に送信されて異常判断が行われ、独立した送信校正結合チャネルがデータを収集する必要がない。
【０１０８】
本発明は、すべてのマルチ送受信チャネルシステムのリアルタイム検出に適用され、従来及び将来の現れる可能性があるアクティブアンテナシステムに適用される。以下、図面を参照しながら、本発明が適用される無線アクセス網の基地局構造の実施形態を記載する。
【０１０９】
図８は本発明が適用される無線アクセス網の基地局の構造を示す図である。図８に示すように、ビーム成形は、適応アンテナシステム（ＡＡＳ）で行われ、ＢＢＵとＡＡＳが光ファイバを介して接続し、ＢＢＵがベースバンドデータ処理を行う。光ファイバに搬送されたデータは、セルに搬送された搬送波数Ｍであり、Ｍが１〜２５６のいずれかの数である。下り方向において、アクティブアンテナは、光ファイバを介してＢＢＵとベースバンドデータをドッキングして、デジタルフィルタリング及び補間処理により、マルチチャネルのデジタル信号をＤＡＣに送信してデジタル−アナログ変換を行い、アナログ送信チャネル及びアンテナアレイによりエアインタフェースに変換して送信し、上り方向において、各アンテナアレイは、エアインタフェース信号を受信し、無線周波数アナログチャネルにより変換してＡＤＣに送信してアナログ−デジタル変換を行い、その後デジタルフィルタリング及び抽出処理によりＢＢＵに送信する。エアインタフェースのビーム成形及びチャネル異常検出は、アクティブアンテナデジタルＩＦ部で実現される。
【０１１０】
図９は本発明が適用される第二の無線アクセス網の基地局の構成を示す図である。図９に示すように、ビーム成形は、ＢＢＵで行われ、ＢＢＵとＡＡＳは、光ファイバを介して接続し、ＢＢＵは、ベースバンドデータ処理を行う。光ファイバに搬送されたデータは、セルに搬送された搬送波数Ｍとアクティブアンテナのアナログチャネル数Ｎとの積であり、前記Ｎが１〜３２のいずれかの数である。光ファイバ速度が満たす必要がある最低の速度は、図８に示す構造のＮ倍である。現在の光ポート発展技術において、アクティブアンテナとＢＢＵは、Ｋ個の光ポートとＢＢＵとの下り方向のドッキングをサポートし、前記Ｋが１〜１２８のいずれかの数である。アクティブアンテナは、光ファイバを介してＢＢＵとベースバンドデータをドッキングし、デジタルフィルタリング及び補間処理により、マルチチャネルのデジタル信号をＤＡＣに送信してデジタル−アナログ変換を行い、アナログ送信チャネル及びアンテナアレイによりエアインタフェースに変換して送信し、上り方向において、各アンテナアレイは、エアインタフェース信号を受信し、無線周波数アナログチャネルにより変換してＡＤＣに送信してアナログ−デジタル変換を行い、デジタルフィルタリング及び抽出処理によりＢＢＵに送信する。エアインタフェースのビーム成形及びチャネル異常検出は、アクティブアンテナＢＢＵ側で実現される。
【０１１１】
図１０は本発明が適用される第三の無線アクセス網の基地局の構造を示す図である。図１０に示すように、ＢＢＵとＡＡＳとの機能を組み合わせることにより、ＡＡＳは、ビーム成形機能の他、従来のＢＢＵシステムのすべての機能を持つとともに、従来のＢＢＵの機能を実現でき、高度に統合されたアクティブアンテナと呼ばれることができる。ＢＢＵのベースバンド処理部の機能がアクティブアンテナに組み合わせられて処理が行われ、下り方向において、ベースバンドデータがデジタルフィルタリング及び補間処理が行われた後、マルチチャネルのデジタル信号をＤＡＣに送信してデジタル−アナログ変換を行って、アナログ送信チャネル及びアンテナアレイによりエアインタフェースに変換して送信する。上り方向において、各アンテナアレイは、エアインタフェース信号を受信し、無線周波数アナログチャネルにより変換してＡＤＣに送信してアナログ−デジタル変換を行い、デジタルフィルタリング及び抽出処理によりベースバンドデータに変換する。エアインタフェースのビーム成形及びチャネル異常検出は、アクティブアンテナ側で実現される。
【０１１２】
上記は、本発明の好ましい実施形態に過ぎず、本発明の保護範囲を限定するものではない。
【図１】
0005933769.tif 000002
【図２】
0005933769.tif 000003
【図３】
0005933769.tif 000004
【図４】
0005933769.tif 000005
【図５】
0005933769.tif 000006
【図６】
0005933769.tif 000007
【図７】
0005933769.tif 000008
【図８】
0005933769.tif 000009
【図９】
0005933769.tif 000010
【図１０】
0005933769.tif 000011